(57)【要約】【課題】鬱陶しさを伴うことなく肩を有効に温めることができる布団カバーを提供する。【解決手段】布団カバー１００において、ほぼ正方形又は長方形の袋状に形成され掛け布団を装入するための装入口１３を有する布団収納部１０と、布団収納部１０の頭部側端縁１０ａに沿って左右方向に延びる袋状の肩掛け部２０と、肩掛け部２０に詰め込まれた中綿４０とを備え、肩掛け部２０は、上端縁２０ａに使用者の頭部に対応した凹部２４が形成され、下端縁２０ｂが布団収納部１０の頭部側端縁１０ａの裏面側に潜り込むように配設されるとともに、凹部２４の最下部２４ａが布団収納部１０の頭部側端縁１０ａよりも上側に配置されている。【選択図】図１
2018050978.tif 000002
【特許請求の範囲】
【請求項１】
ほぼ正方形又は長方形の袋状に形成され、掛け布団を装入するための装入口を有する布団収納部と、
前記布団収納部の頭部側端縁に沿って左右方向に延びる袋状の肩掛け部と、
前記肩掛け部に詰め込まれた中綿と、を備え、
前記肩掛け部は、
上端縁に使用者の頭部に対応した凹部が形成され、下端縁が前記布団収納部の前記頭部側端縁の裏面側に潜り込むように配設されるとともに、前記凹部の最下部が前記布団収納部の前記頭部側端縁よりも上側に配置されている、
ことを特徴とする布団カバー。
【請求項２】
前記布団収納部は、前記掛け布団に係合される留め具を、少なくとも前記頭部側端縁の内側における前記凹部の前記最下部の近傍、及び左右両端部近傍に有する、
ことを特徴とする請求項１に記載の布団カバー。
【請求項３】
前記肩掛け部は、前記凹部の左右両外側に、前記肩掛け部をほぼ上下方向に横断するキルティング部を有する、
ことを特徴とする請求項１又は２に記載の布団カバー。
【発明の詳細な説明】
【技術分野】
【０００１】
本発明は、肩掛け部を備えた布団カバーに関する。
【背景技術】
【０００２】
特許文献１には、所有する布団本体を、その布団サイズより大きいサイズの布団としても利用可能とすることができる布団カバーが開示されている。
【０００３】
このものは、掛け布団の布団本体を覆うための上側地及び下側地の一方又は両方の側端付近に、布団本体の上下左右の４方のいずれかひとつ又は複数、布団本体のサイズを超える領域に、中綿入りの拡張部を設けることにより、実質的に布団のサイズを拡張するものである。
【先行技術文献】
【特許文献】
【０００４】
【特許文献１】特開２０１５−１４６８４５号公報
【発明の概要】
【発明が解決しようとする課題】
【０００５】
しかしながら、上述の従来の布団カバーにおいては、延長部は、単に掛け布団のサイズを拡張するためのものであるため、使い勝手は、一般的な、掛け布団が装入された布団カバーと何ら変わることはない。
【０００６】
したがって、例えば、延長部を掛け布団の上端縁（頭部側端縁）に設けた場合、肩が露出して冷えるのを防止すべく、延長部を掛け布団とともに上側（頭側）に引き上げて、延長部によって肩を覆うようにすると、延長部の一部が顔、特に口に架り、使用者は息苦しさ、鬱陶しさを感じるという問題がある。
【０００７】
一方、息苦しさ、鬱陶しさを排除すべく、延長部の上端縁が口に架らないように、例えば、顎の下に位置するようにすると、延長部が肩によって敷布団から浮き上がってしまい、肩が露出して冷えてしまうという問題がある。
【０００８】
本発明は、上述した事情に鑑みてなされたものであり、息苦しさ、鬱陶しさを伴うことなく、肩を有効に温めることができる布団カバーを提供することを目的とする。
【課題を解決するための手段】
【０００９】
請求項１に係る発明は、布団カバーにおいて、ほぼ正方形又は長方形の袋状に形成され、掛け布団を装入するための装入口を有する布団収納部と、前記布団収納部の頭部側端縁に沿って左右方向に延びる袋状の肩掛け部と、前記肩掛け部に詰め込まれた中綿と、を備え、前記肩掛け部は、上端縁に使用者の頭部に対応した凹部が形成され、下端縁が前記布団収納部の前記頭部側端縁の裏面側に潜り込むように配設されるとともに、前記凹部の最下部が前記布団収納部の前記頭部側端縁よりも上側に配置されている、ことを特徴とする。
【００１０】
請求項２に係る発明は、請求項１に係る布団カバーにおいて、前記布団収納部は、前記掛け布団に係合される留め具を、少なくとも前記頭部側端縁の内側における前記凹部の前記最下部の近傍、及び左右両端部近傍に有する、ことを特徴とする。
【００１１】
請求項３に係る発明は、請求項１又は２に記載の布団カバーにおいて、前記肩掛け部は、前記凹部の左右両外側に、前記肩掛け部をほぼ上下方向に横断するキルティング部を有する、ことを特徴とする。
【発明の効果】
【００１２】
請求項１の発明によれば、肩掛け部は、中綿が詰め込まれているので、保温性が高い。
【００１３】
また、肩掛け部は、上端縁に、使用者の頭部に対応した凹部が形成されているので、使用者はここから顔を出すことにより、顔に肩掛け部が掛かることによる息苦しさや鬱陶しさを伴うことなく、肩掛け部のうちの凹部の左右両外側に位置する部分によって肩を有効に温めることができる。
【００１４】
また、肩掛け部は、下端縁が布団収納部の頭部側端縁の裏面側に潜り込むように配設されている。これにより、肩掛け部の下端縁近傍に位置する中綿と、布団収納部の頭部側端縁近傍に位置する掛け布団の上端縁近傍とが重なるため、重ならない場合と比較して保温性を高めることができる。
【００１５】
さらに、肩掛け部の下端縁近傍の中綿に対して、掛け布団の上端縁近傍が上から押さえ付けるように重なるので、暖を逃がしてしまう不要な隙間ができにくい。
【００１６】
また、肩掛け部は、凹部の最下部が、布団収納部の頭部側端縁よりも上側に配置されているので、凹部から顔を出した使用者のその顔に、頭部側端縁（掛け布団の上端縁）がかかりにくい。
【００１７】
請求項２の発明によれば、布団収納部は、掛け布団に係合される留め具を、少なくとも頭部側端縁の内側における、凹部の最下部の近傍及び左右両端部近傍に有するので、布団収納部に収納された掛け布団に、これらの留め具を係合させることにより、肩掛け部の凹部に対して掛け布団の位置、特に掛け布団の上端縁の上下方向の位置を確実に位置決めすることができる。
【００１８】
請求項３の発明によれば、肩掛け部は、凹部の左右両外側に、肩掛け部をほぼ上下方向に横断するキルティング部を有しているので、凹部周辺の中綿の偏在を防止して、肩を有効に温めることができる。
【図面の簡単な説明】
【００１９】
【図１】布団カバー１００を表面側（正面側）から見た斜視図である。
【図２】掛け布団Ｆを装入した状態の布団カバー１００を表面側（正面側）から見た斜視図である。
【図３】布団カバー１００の使用状態を説明する表面側（正面側）から見た斜視図である。
【図４】布団カバー１００の正面図（表面側から見た図）である。
【図５】布団カバー１００の背面図（裏面側から見た図）である。
【図６】布団カバー１００の底面図である。
【図７】図４中のＡ−Ａ´線矢視図である。
【図８】布団カバー１００の右側面図（上側から見た図）である。
【図９】布団カバー１００の左側面図（下側から見た図）である。
【図１０】図７における肩掛け部２０近傍の拡大図である。
【図１１】図１０における布団収納部１０に掛け布団Ｆを装入した状態を説明する図である。
【発明を実施するための形態】
【００２０】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００２１】
＜実施形態１＞
図１〜図１１を参照して本発明を適用した実施形態１に係る布団カバー１００について説明する。
【００２２】
このうち、図１は、布団カバー１００を表面側（正面側）から見た斜視図である。なお、以下の説明では、図１中に矢印で示す「上下左右表裏」が布団カバー１００の「上下左右表裏」に対応するものとして説明する。
【００２３】
図２は、掛け布団Ｆを装入した状態の布団カバー１００を表面側（正面側）から見た斜視図である。
【００２４】
図３は、布団カバー１００の使用状態を説明する表面側（正面側）から見た斜視図である。
【００２５】
また、図４〜図９は、布団カバー１００を説明する図であり、この順に、図４は正面図（表面側から見た図）、図５は背面図（裏面側から見た図）、図６は底面図、図７は図４中のＡ−Ａ´線矢視図、図８は右側面図（上側から見た図）、図９は左側面図（下側から見た図）である。
【００２６】
また、図１０は、図７における肩掛け部２０近傍の拡大図である。
【００２７】
また、図１１は、図１０における布団収納部１０に掛け布団Ｆを装入した状態を説明する図である。
【００２８】
布団カバー１００は、図１、図４、図５に示すように、布団収納部１０、肩掛け部２０、及び中綿４０を備えて構成されている。
【００２９】
このうち、布団収納部１０は、それぞれ布状の表面布１１、裏面布１２、及び連結布３０（図１０、図１１参照）を、例えば縫合することにより、上下方向に長い袋状に形成されている。
【００３０】
表面布１１及び裏面布１２は、それぞれ上下方向に長い長方形状に形成され、また、これら表面布１１の上端縁と裏面布１２の上端縁とを連結する連結布３０は、左右方向に長い帯状（短冊状）に形成されている。
【００３１】
図１０、図１１に示すように、表面布１１は、裏面布１２に対して、ほぼ連結布３０の幅寸法（上下方向寸法）に相当する分だけ長く形成されている。
【００３２】
連結布３０の上端縁（一方の端縁）３０ａは、表面布１１の上端縁に縫合されて、布団収納部１０の頭部側端縁１０ａを構成している。なお、この頭部側端縁１０ａには、後述する肩掛け部２０の表面布２１の下端縁が縫合されている。
【００３３】
一方、連結布３０の下端縁（他方の端縁）３０ｂは、裏面布１２の上端縁に縫合されている。この縫合部分は、後述する肩掛け部２０の裏面布２２の下端縁が縫合されて、肩掛け部２０の下端縁２０ｂを構成している。
【００３４】
連結布３０は、図１０、図１１に示すように、後述する肩掛け部２０に中綿４０が充填された状態においては、表面側に位置する上端縁３０ａが裏面側に位置する下端縁３０ｂよりも上側に位置するように傾斜している。
【００３５】
すなわち、肩掛け部２０の下端縁２０ｂは、布団収納部１０の頭部側端縁１０ａの裏面側に潜り込むように配設されていて、頭部側端縁１０ａよりも下側に配置されている。
【００３６】
これにより、肩掛け部２０に充填された中綿４０のうちの、下端縁２０ｂ近傍に位置するものは、連結布３０の裏面側（下側）、ひいては、布団収納部１０に装入された掛け布団Ｆのうちの上端縁近傍に位置する部分の裏面側（下側）に位置することになる。
【００３７】
なお、本実施形態では、布団収納部１０の一部を構成する上述の連結布３０は、後述する肩掛け部２０の一部も構成している。
【００３８】
図１に示す布団収納部１０の足部側端縁１０ｂは、表面布１１及び裏面布１２の下端縁を縫合することによって形成されている。また、布団収納部１０の左端縁１０ｃは、表面布１１の左端縁に対し、連結布３０の左端縁を縫合し、裏面布１２の左端縁は縫合しないで形成されている。表面布１１の左端縁と裏面布１２の左端縁との間は、開口されていて、掛け布団Ｆを装入（出し入れ）するための装入口１３となっている。この装入口１３には、開閉自在な線状のファスナ（不図示）が取り付けられている。布団収納部１０の右端縁１０ｄは、表面布１１の右端縁と、裏面布１２及び連結布３０の右端縁とが縫合されて形成されている。
【００３９】
布団収納部１０は、図１に示すように、掛け布団Ｆに係合される留め具１４を、少なくとも頭部側端縁１０ａの内側における、後述の凹部２４の最下部２４ａの近傍及び左右両端部近傍に有している。留め具１４としては、例えば、スナップボタンや２本の紐によって構成することができる。２本の紐を使用した場合、これらの紐を、掛け布団Ｆ側のループ状の係止部（不図示）に結び付けることにより、布団収納部１０内での掛け布団Ｆを位置決めして、不要な移動を防止するようにしている。本実施形態では、留め具１４は、さらに、足部側端縁１０ｂの内側における左右方向の中央近傍及び左右両端部近傍に設け、左端縁１０ｃ及び右端縁１０ｄの内側における前後方向の中央近傍に設けている。
【００４０】
なお、以上では、布団収納部１０がほぼ上下方向に長い長方形である場合を例に説明したが、これに代えて、ほぼ正方形であっても、また、ほぼ左右方向に長い長方形であってもよい。
【００４１】
次に、肩掛け部２０は、図１、図４、図１０、図１４に示すように、布団収納部１０の頭部側端縁１０ａに沿って左右方向に延びる袋状に形成されている。
【００４２】
肩掛け部２０は、それぞれ左右方向に長い布状の表面布２１、裏面布２２、及び上述の連結布３０を縫合することによって袋状に形成されている。なお、連結布３０は、上述の布団収納部１０と共通である。
【００４３】
図１０、図１１に示すように、表面布２１は、その下端縁を、連結布３０の上端縁３０ａ（布団収納部１０の頭部側端縁１０ａ）に縫合させている。一方、裏面布２２は、その下端縁を、連結布３０の下端縁（布団収納部１０の裏面布１２の上端縁）に縫合させて、肩掛け部２０の下端縁２０ｂを構成している。
【００４４】
また、肩掛け部２０の上端縁２０ａは、表面布２１の上端縁と裏面布２２の上端縁とを縫合することにより構成されている。また、肩掛け部２０の左端縁２０ｃは、裏面布２２の左端縁に、表面布２１及び連結布３０の左端縁を縫合することにより構成されている。さらに、肩掛け部２０の右端縁２０ｄは、裏面布２２の右端縁に、表面布２１及び連結布３０の右端縁を縫合することにより構成されている。
【００４５】
肩掛け部２０の上端縁２０ａには、図１〜図３に示すように、左右方向のほぼ中央に、使用者Ｍの頭部に対応したほぼＵ字形の凹部２４が形成されている。
【００４６】
さらに、肩掛け部２０は、内側に中綿４０が充填された後に、凹部２４の左右両外側に、肩掛け部２０をほぼ上下方向に横断するキルティング部２５，２５が形成されている。肩掛け部２０は、これにより、凹部２４を囲む中央部２０Ａと、その左右両外側の側部２０Ｂとに分割されている。中央部２０Ａは、中綿４０が偏在することを防止して、首周りを含む使用者Ｍの肩部を有効に温めることができる。
【００４７】
ここで、図１に示すように、凹部２４における、最も下に位置する部分を、最下部２４ａとすると、本実施形態においては、最下部２４ａは、布団収納部１０の頭部側端縁１０ａよりも上側に配置されている。これにより、凹部２４から顔を出した使用者Ｍのその顔に、掛け布団Ｆの上端縁がかからないようにしている。
【００４８】
中綿４０としては、一般的な素材、例えば、綿、羊毛、羽毛等の天然素材、ポリエステル等の化学材料を使用することができる。なお、中綿４０として、ウォッシャブル（洗濯可能）なものを使用した場合には、布団カバー１００全体を、一般的な布団カバーと同様に取り扱って洗濯することができる。
【００４９】
以上では、布団収納部１０や肩掛け部２０を縫合によって構成する場合を例に説明したが、これに代えて例えば、熱接着等によって形成するようにしてもよい。
【００５０】
以下、上述の布団カバー１００の作用、効果を整理する。
【００５１】
肩掛け部２０は、中綿４０が詰め込まれているので、保温性が高い。
【００５２】
また、肩掛け部２０は、上端縁２０ａに、使用者Ｍの頭部に対応した凹部２４が形成されているので、使用者Ｍはここから顔を出すことにより、顔に肩掛け部２０が掛かることによる息苦しさや鬱陶しさを伴うことなく、肩掛け部２０のうちの凹部２４の左右両外側に位置する部分によって肩を有効に温めることができる。
【００５３】
また、肩掛け部２０は、下端縁２０ｂが布団収納部１０の頭部側端縁１０ａの裏面側に潜り込むように配設されている。これにより、肩掛け部２０の下端縁２０ｂ近傍に位置する中綿４０と、布団収納部１０の頭部側端縁１０ａ近傍に位置する掛け布団Ｆの上端縁近傍とが重なるため、重ならない場合と比較して保温性を高めることができる。
【００５４】
さらに、肩掛け部２０の下端縁２０ｂ近傍の中綿４０に対して、掛け布団Ｆの上端縁近傍が上から押さえ付けるように重なるので、暖を逃がしてしまう不要な隙間ができにくい。
【００５５】
また、肩掛け部２０は、凹部２４の最下部２４ａが、布団収納部１０の頭部側端縁１０ａよりも上側に配置されているので、凹部２４から顔を出した使用者Ｍのその顔に、頭部側端縁１０ａ（掛け布団Ｆの上端縁）がかかりにくい。
【００５６】
布団収納部１０は、掛け布団Ｆに係合される留め具１４を、少なくとも頭部側端縁１０ａの内側における、凹部の最下部の近傍及び左右両端部近傍に有するので、布団収納部１０に収納された掛け布団Ｆに、これらの留め具１４を係合させることにより、肩掛け部２０の凹部２４に対し、頭部側端縁１０ａを介して掛け布団Ｆの位置、特に掛け布団Ｆの上端縁の上下方向の位置を確実に位置決めすることができる。
【００５７】
肩掛け部２０は、凹部２４の左右両外側に、肩掛け部２０をほぼ上下方向に横断するキルティング部２５，２５を有しているので、凹部２４周辺の中綿の偏在を防止して、肩を有効に温めることができる。
【００５８】
＜実施形態２＞
上述の実施形態１の布団カバー１００は、パーツ的には、布団収納部１０を表面布１１、裏面布１２、及び連結布３０で構成し、肩掛け部２０を表面布２１、裏面布２２、及び共通の連結布３０で構成し、この肩掛け部２０に中綿４０を詰め込む例を説明した。
【００５９】
本実施形態では、図１０、図１１に示す上述の表面布１１，２１を繋いで１枚の大きな表面布とし、裏面布１２，２２を繋いで１枚の大きな裏面布とした。さらに、これら大きな表面布と大きな裏面布とを適宜、縫合して、両布間に大きな袋状の空間を形成した。そして、この大きな空間を、実施形態１とほぼ同様の傾斜した連結布によって分割する。連結布の上端縁を大きな表面布の内面に縫合し、下端縁を裏面布の内面に縫合して、下側（足側）に布団収納部１０を形成し、上側（頭側）に肩掛け部２０を形成し、この肩掛け部２０に、中綿４０を詰め込む。
【００６０】
本実施形態によれば、パーツの点数を少なくすることができる。
【００６１】
＜実施形態３＞
本実施形態では、図１０、図１１に示す実施形態１における布団収納部１０の裏面布１２を連結布３０の幅分だけ上側に延長し、同様に、肩掛け部２０の表面布２１を連結布３０の幅分だけ下側に延長することにより、連結布３０を省略した構成とした。
【００６２】
これにより、袋状の布団収納部１０は、表面布１１と、延長した裏面布とによって構成することができ、また、肩掛け部２０は、延長した表面布と、裏面布２２とによって構成することができる。
【００６３】
本実施形態によれば、パーツの点数を少なくすることができるのはもちろん、布団収納部１０と肩掛け部２０とをそれぞれ個別に構成した後に、両者を合体させて、布団カバー全体を構成することが可能となる。
【００６４】
合体に際しては、布団収納部１０の頭部側端縁１０ａの裏面側に、肩掛け部２０の下端縁２０ｂが潜り込むようにして、下端縁２０ｂ近傍に頭部側端縁１０ａ近傍が表面側から重なるようにした。
【００６５】
本実施形態によれば、上述のように、布団収納部１０と肩掛け部２０とを個別に構成した後に、両者を合体させて構成することができるので、例えば、既成の一般的な掛け布団カバーに、肩掛け部２０を合体させることにより、布団カバー全体を構成することができる。
【符号の説明】
【００６６】
１０    布団収納部
１０ａ  頭部側端縁
１１    表面布
１２    裏面布
１３    装入口
１４    留め具
２０    肩掛け部
２０Ａ  中央部
２０Ｂ  側部
２０ａ  上端縁
２０ｂ  下端縁
２１    表面布
２２    裏面布
２４    凹部
２４ａ  最下部
２５    キルティング部
３０    連結布
３０ａ  上端縁（一方の端縁）
３０ｂ  下端縁（他方の端縁）
４０    中綿
５０    キルティング部
１００  布団カバー
Ｆ      掛け布団
Ｍ      使用者
【図１】
2018050978.tif 000003
【図２】
2018050978.tif 000004
【図３】
2018050978.tif 000005
【図４】
2018050978.tif 000006
【図５】
2018050978.tif 000007
【図６】
2018050978.tif 000008
【図７】
2018050978.tif 000009
【図８】
2018050978.tif 000010
【図９】
2018050978.tif 000011
【図１０】
2018050978.tif 000012
【図１１】
2018050978.tif 000013